(57)【特許請求の範囲】
【請求項１】
互いに絶縁された信号入力部と信号出力部とを有し、前記信号入力部に信号が入力されたときに前記信号出力部から信号を出力する絶縁回路と、第１の信号源からの信号を入力して前記絶縁回路に出力しまたは前記絶縁回路からの信号を第１の負荷に出力する入出力一次回路と、第２の信号源からの信号を入力して前記絶縁回路に出力しまたは前記絶縁回路からの信号を第２の負荷に出力する極性選択回路とを備え、前記絶縁回路は、着脱自在に構成され、前記絶縁回路の向きにより、前記入出力一次回路と前記絶縁回路および前記極性選択回路は入力回路または出力回路を構成してなり、前記絶縁回路の装着向きを検出する装着向き検出手段と、前記装着向き検出手段の検出出力に従って前記入出力一次回路と前記極性選択回路の前記絶縁回路に対する前記信号の入力モードまたは出力モードを設定する入出力モード設定手段とを備えてなる機能選択型入出力回路。
【請求項２】
前記入出力一次回路に第１の信号源が接続され、前記極性選択回路に第２の負荷が接続されたときに、前記絶縁回路を、前記信号入力部が前記入出力一次回路側に、前記信号出力部が前記極性選択回路側になる向きに装着することで、前記入出力一次回路と前記絶縁回路および前記極性選択回路は入力回路を構成し、前記入出力一次回路に第１の負荷が接続され、前記極性選択回路に第２の信号源が接続されたときに、前記絶縁回路を、前記信号入力部が前記極性選択回路側に、前記信号出力部が前記入出力一次回路側になる向きに装着することで、前記入出力一次回路と前記絶縁回路および前記極性選択回路は出力回路を構成してなることを特徴とする請求項１に記載の機能選択型入出力回路。
【発明の詳細な説明】
【０００１】
【発明の属する技術分野】
本発明は、機能選択型入出力回路に係り、特に、信号源からの信号を入力する入力回路または負荷に信号を出力する出力回路のいずれかの機能を選択して使用するに好適な機能選択型入出力回路に関する。
【０００２】
【従来の技術】
自動車製造ラインなどにおいては、各種の製造ラインを制御するために、リミットスイッチや光電スイッチなどの情報、すなわち信号源からの信号を入力する入力回路と、ランプや電磁バルブなどの負荷に制御情報としての信号を出力する出力回路を内蔵した装置が設けられている。この種の装置においては、４点や８点など少点数分の回路が内蔵されており、ライン上に分散設置されるため、装置の小型化が必要である。また、用途に応じて入力回路と出力回路を組み合わせて使用するため、入力回路のみを内蔵した装置と出力回路のみを実装した装置の２種類を用いるのではなく、１つの装置に入力回路と出力回路の両方を内蔵している装置の方が、使い勝手が良い。その際、入力回路と出力回路の組み合わせパターンは多岐に渡るので、任意の回路を、入力回路または出力回路として、選択して使用できることが望ましい。
【０００３】
入力回路または出力回路を選択するに際しては、例えば、特開平１１−１５４２９６号公報に記載されているように、入力回路または出力回路と絶縁素子とで構成される信号変換器を基板に複数実装し（変換器ユニットと呼ぶ）、これをマザーボートに着脱自在に装着するようにしたものが提案されている。この方法によれば、変換器ユニットを交換することによって入力回路または出力回路を選択することができる。
【０００４】
しかし、信号変換器に実装される回路の構成は変更できない。すなわち、入力回路および出力回路の点数は固定であり、そのうちの１点だけ、例えば、入力用途から出力用途への変更はできず、ハードウエアの共通化については考慮されていない。
【０００５】
また、特開平５−２０４４１７号公報に記載されているように、１点当たり絶縁素子実装領域を２つ設け、各領域をそれぞれ入力用と出力用に割付け、入力用絶縁素子実装領域には入力回路を、出力用絶縁素子実装領域には出力回路を実装し、どちらかの回路を選択して使用する方法が提案されている。しかし、この方法では、各入出力点数に対して倍の実装スペースを必要とするため、実装効率を向上させることが困難である。
【０００６】
【発明が解決しようとする課題】
従来技術においては、入力回路または出力回路への機能の設定は８点単位で行われるため、１点ごとに機能を設定することはできず、使い勝手が悪い。例えば、６点分の入力回路並びに２点分の出力回路が必要である場合は、８点入力装置と８点出力装置など、装置を２個使用する必要があり、使い勝手の観点からみて不自由である。
【０００７】
すなわち、以下の点について配慮されていない。例えば、入力回路および出力回路をそれぞれ８点分内蔵し、８点のうち６点を入力回路として使用し、２点を出力回路として使用したり、また、５点を入力回路として使用し、３点を出力回路として使用したり、さらには８点すべてを入力回路または出力回路として使用することができれば、その装置１種類だけで、入力点数および出力点数のどのような組み合わせにも対応できることになる。当然、これらの使用方法は、利用者が設定できることが望ましい。すなわち、装置に内蔵されている複数の回路を個別に入力回路または出力回路として利用者が選択的に使用できるようにすることで、使い勝手を向上させることができる。
【０００８】
本発明の目的は、絶縁回路の向きに応じて入力回路または出力回路として使用することができる機能選択型入出力回路を提供することにある。
【０００９】
【課題を解決するための手段】
前記目的を達成するために、本発明は、互いに絶縁された信号入力部と信号出力部とを有し、前記信号入力部に信号が入力されたときに前記信号出力部から信号を出力する絶縁回路と、第１の信号源からの信号を入力して前記絶縁回路に出力しまたは前記絶縁回路からの信号を第１の負荷に出力する入出力一次回路と、第２の信号源からの信号を入力して前記絶縁回路に出力しまたは前記絶縁回路からの信号を第２の負荷に出力する極性選択回路とを備え、前記絶縁回路は、着脱自在に構成されており、前記絶縁回路の向きにより、前記入出力一次回路と前記絶縁回路および前記極性選択回路は入力回路または出力回路を構成してなる機能選択型入出力回路を構成したものである。
【００１０】
前記機能選択型入出力回路を構成するに際しては、以下の要素を付加することができる。
【００１１】
（１）前記入出力一次回路に第１の信号源が接続され、前記極性選択回路に第２の負荷が接続されたときに、前記絶縁回路を、前記信号入力部が前記入出力一次回路側に、前記信号出力部が前記極性選択回路側になる向きに装着することで、前記入出力一次回路と前記絶縁回路および前記極性選択回路は入力回路を構成し、前記入出力一次回路に第１の負荷が接続され、前記極性選択回路に第２の信号源が接続されたときに、前記絶縁回路を、前記信号入力部が前記極性選択回路側に、前記信号出力部が前記入出力一次回路側になる向きに装着することで、前記入出力一次回路と前記絶縁回路および前記極性選択回路は出力回路を構成してなる。
【００１２】
（２）前記絶縁回路の装着向きを検出する装着向き検出手段と、前記装着向き検出手段の検出出力に従って前記入出力一次回路と前記極性選択回路の入力モードまたは出力モードを規定する入出力モード規定手段とを備えてなる。
【００１３】
（３）前記絶縁回路を着脱自在に構成し、着脱により装着の向きを変えることに代えて、前記絶縁回路の信号入力部および信号出力部と前記入出力一次回路との接続部、および前記絶縁回路の信号入力部および信号出力部と前記極性選択回路との接続部に、各接続部の接続を切り換える切換手段を設け、該切換手段を切換えて前記絶縁回路の前記信号入力部および前記信号出力部に接続する前記入出力一次回路と前記極性選択回路を切り換える構成にすることができる。
【００１４】
前記した手段によれば、入出力一次回路と絶縁回路および極性選択回路を互いに直列接続して配置し、絶縁回路の向きにより、入出力一次回路と絶縁回路および極性選択回路を入力回路または出力回路として構成することができるため、利用者が選択的に絶縁回路の向きを設定することで入力回路または出力回路として用いることができ、使い勝手の向上に寄与することができる。
【００１５】
また、複数の入出力回路の場合でも、各入出力回路毎に絶縁回路の装着向きを設定することで、各入出力回路を入力回路または出力回路として用いることができ、使い勝手の向上に寄与することができる。
【００１６】
【発明の実施の形態】
以下、本発明の一実施形態を図面に基づいて説明する。図１は、本発明の一実施形態を示す図であって、機能選択型入出力回路２をｎ個並列に並べたときの全体構成を示す（ｎは２以上の整数）。図１において、入出力回路２、２０、……は、入出力一次回路５、絶縁回路３、極性選択回路６を備えて構成されており、極性選択回路６に制御回路１５が接続されている。
【００１７】
入出力一次回路５は、外部接続端子２１を介して外部負荷２４または外部接点２５を介して電源２３に接続されており、電源２３と外部接点２５を含む第１の信号源からの信号を入力して絶縁回路３に出力し、または絶縁回路３からの信号を第１の負荷としての外部負荷２４に出力するようになっている。
【００１８】
具体的には、入出力一次回路５は、負荷抵抗（ＲＬ）２８、トランジスタ７およびスイッチ８で構成される出力回路２９、Ｖｂｅ発生抵抗９を備えて構成されており、トランジスタ７のコレクタが外部接続端子２１に接続され、負荷抵抗２８がコネクタ４を介して絶縁回路３に接続され、Ｖｂｅ発生抵抗９がコネクタ４を介して絶縁回路３に接続されている。トランジスタ７のエミッタはスイッチ８、外部接続端子２２を介して電源（直流電源）２３のマイナス端子に接続されている。
【００１９】
そして入出力回路２や２０を出力回路として使用する場合には、入出力一次回路５の外部接続端子２１に外部負荷２４を介して電源２３が接続されるようになっている。一方、入出力回路２や２０を入力回路として使用する場合には、入出力一次回路５の外部接続端子２１には外部接点２５を介して電源２３が接続されるようになっている。
【００２０】
なお、本実施形態においては、外部接続端子２２は、入出力回路２、２０などに共通な端子として、電源２３のマイナス端子に接続されており、電源２３を入力回路と出力回路で共通に使用するものとしているが、外部接続端子２２を共通とせずに、電源２３も個々の回路ごとに設けるような形態も可能である。
【００２１】
絶縁回路３は、例えば、フォトＭＯＳカプラで構成されており、４端子がコネクタ４に接続されて着脱自在になっている。なお、本実施形態では、フォトＭＯＳカプラを用いているが、フォトＭＯＳカプラの代わりに、フォトトランジスタカプラ、トランス、リレーを用いることもできる。
【００２２】
絶縁回路３にフォトＭＯＳカプラを用いた場合、信号入力部（信号入力側）１８としてフォトダイオードが用いられ、信号出力部（信号出力側）１９としてフォトＭＯＳトランジスタが用いられている。この絶縁回路３は、信号入力部１８と信号出力部１９が互いに絶縁され、信号入力部１８に信号が入力されたときに、信号入力部１８が導通するとともに発光し、信号出力部１９が信号入力部１８からの光を受光して導通し、信号を出力するようになっている。
【００２３】
そして本実施形態においては、入出力回路２は、入出力一次回路５側が信号出力部１９側となるような向きに絶縁回路３を装着することで出力回路として機能し、入出力回路２０は、入出力一次回路５側が信号入力部１８側となるような向きに絶縁回路３を装着することで入力回路として機能することができるようになっている。当然、入出力回路２を入力回路として機能させることも、入出力回路２０を出力回路として機能させることも可能であり、絶縁回路３はコネクタ４を介して極性選択回路６に接続されている。
【００２４】
極性選択回路6は、プルアップ抵抗１０、トランジスタ３０、トライステートバッファ３１、プルアップ抵抗３２、スイッチ１１、プルアップ抵抗１２を備えて構成されている。この極性選択回路６は、第２の信号源（図示省略）からの信号を、制御回路１５を介して入力して絶縁回路３に出力し、または絶縁回路３からの信号を、制御回路１５を介して第２の負荷（図示省略）に出力するようになっている。そしてこの極性選択回路６には、入出力回路２を入力回路として使用する場合の入力信号を受信するトライステートバッファ１３と入出力回路２を出力回路として使用する場合の出力信号を送信するトライステートバッファ１４からなる制御回路１５が接続されている。トライステートバッファ１３および１４のイネーブル端子１６および１７には、スイッチ１１の状態を入力することで、スイッチの設定により、制御回路１５を入力回路または出力回路のいずれで使用するかを決定するようになっている。
【００２５】
入出力回路２や２０など、特定の入出力回路を入力回路または出力回路として使用するためには、絶縁回路３の装着向きを選択するとともに、スイッチ８および１１の設定を行う必要がある。具体的には、スイッチ８および１１は、入出力回路２を入力回路として機能させる場合には、共に開状態に、出力回路として機能させる場合には共に閉状態にする。したがって、２極双投スイッチを用いることで、スイッチ８および１１を同時に操作することができる。
【００２６】
入出力回路２、２０などをｎ個備えている全体回路１は、それぞれの入出力回路ごとに、入力回路または出力回路として使用することができるようになっている。
【００２７】
次に、入出力回路２０を入力回路として使用する場合の具体的動作を図２にしたがって説明する。
【００２８】
入出力回路２を入力回路として使用する際しては、絶縁回路３は、入出力一次回路５側が信号入力部１８となるような向きに装着され、外部接続端子２１と外部接続端子２２との間には電源（Ｖｉｎ）２３、外部接点２５が接続される。そして各スイッチ８、１１は共に開の状態にある。このとき外部接点２５が閉じると、入力電流（Ｉｉｎ）２６が流れる。このときスイッチ８は開状態にあるので、トランジスタ７には電流が流れず、出力回路２９は機能しない。入力電流２６の値は、負荷抵抗（ＲＬ）２８、Ｖｂｅ発生抵抗（ＲＢ）９および信号入力部１８の電圧降下（ＶＦ）２７によって定められ、次の（１）式で表される。
【００２９】
【数１】
Ｉｉｎ＝（Ｖｉｎ−ＶＦ）／（ＲＬ＋ＲＢ）・・・（１）
入力電流２６を十分に流すことにより、絶縁回路３の信号入力部１８がオンになる。これにより信号出力部１９が導通する。
【００３０】
このとき、極性選択回路６のスイッチ１１は開いているため、プルアップ抵抗１２を介してトライステートバッファ３１のイネーブル端子にＨレベルの信号が印加され、トライステートバッファ３１の出力はハイ・インピーダンスになる。このため、トランジスタ３０のベース端子にはプルアップ抵抗３２を介してＨレベルの信号が印加され、トランジスタ３０は常時オンとなる。すなわち、信号出力部１９がオンになると、プルアップ抵抗１０からトランジスタ３０を介してグラウンド（アース）３３に電流が流れ、トライステートバッファ１３の入力にはＬレベルの信号が印加される。このＬレベルの信号をもって外部接点２５が閉じていることを検出できる。
【００３１】
一方、外部接点２５が開いている場合は、トライステートバッファ１３の入力にＨレベルの信号が印加され、このＨレベルの信号をもって外部接点２５が開いていることを検出できる。なお、トライステートバッファ１４のイネーブル端子１７にはＨレベルの信号が印加されているため、トライステートバッファ１４の出力はハイ・インピーダンス状態になっている。
【００３２】
次に、入出力回路２を出力回路として使用するときの動作を図３にしたがって説明する。
【００３３】
入出力回路２を出力回路として使用するに際しては、絶縁回路３の信号出力部１９は、コネクタ４を介して入出力一次回路５に接続され、信号入力部１８はコネクタ４を介して極性選択回路６に接続され、外部接続端子２１と２２との間には外部接続端子２４、電源２３が接続され、スイッチ８および１１は閉状態になる。スイッチ１１が閉じていると、トライステートバッファ３１および１４のイネーブル端子にはＬレベルの信号が印加されるため、トライステートバッファ１４の入力レベルはトライステートバッファ３１の出力レベルに反映される。そしてトライステートバッファ１４の出力がＨレベルのときには、トランジスタ３０がオンになり、プルアップ抵抗１０から信号入力部１８を介して電流が流れ、信号出力部１９がオンになる。また、トライステートバッファ１４の出力がＬレベルの場合、トランジスタ３０はオフになるため、信号入力部１８に電流が流れず、信号出力部１９はオフになる。
【００３４】
一方、信号出力部１９がオンになると、外部接続端子２１および２２の間に接続される電源２３および外部負荷２４を介して負荷抵抗２８から信号出力部１９、Ｖｂｅ発生抵抗９で構成される回路が閉じるため、Ｖｂｅ３４が発生することで、トランジスタ７がオンになる。このときスイッチ８は閉じているので、電源２３および外部負荷２４を介してトランジスタ７、スイッチ８で構成される出力回路２９が閉じるため、電源（Ｖｉｎ）２３と外部負荷（Ｌ）２４、トランジスタ７の残留電圧Ｖｃｅ３５により、次の（２）式で表される出力電流（Ｉｏｕｔ）３６が流れる。
【００３５】
【数２】
Ｉｏｕｔ＝（Ｖｉｎ−Ｖｃｅ）／Ｌ・・・（２）
なお、信号出力部１９がオフになっている場合は、Ｖｂｅ３４は発生しないため、トランジスタ７はオフになる。
【００３６】
以上の動作により、トライステートバッファ１４の出力がＨレベルであれば、トランジスタ７がオンし、Ｌレベルであればオフすることで、外部負荷２７への制御情報を出力することができる。
【００３７】
次に、本発明の他の実施形態を図４にしたがって説明する。
【００３８】
本実施形態は、絶縁回路３の代わりに、絶縁回路の装着向きを検出する装着向き検出端子（装着向き検出手段）３７が付加された装着向き検出端子付き絶縁回路３８を用いるとともに、入出力一次回路５のスイッチ８の代わりにフォトＭＯＳカプラ４１の信号出力部４３を用い、極性選択回路６のスイッチ１１を取り除いて、トライステートバッファ１３、１４、３１のイネーブル端子を装着向き検出端子３４に接続して接地し、さらに、フォトＭＯＳカプラ４１の信号入力部４２のカソード側を装置向き検出端子３７を介して接地し、信号入力部４２のアノード側をプルアップ抵抗３９を介して電源に接続するようにしたものであり、他の構成は図１のものと同様である。なお、装着向き検出端子３７は、絶縁回路３８の内部でグラウンド３３に接続されて接地されている。
【００３９】
絶縁回路３８の信号出力部１９が入出力一次回路５側に接続されるような向きに絶縁回路３８が装着される場合、プルアップ抵抗３９を介して絶縁回路３８に供給される装着向き検出信号４０はＬレベルとなり、絶縁回路３８の信号出力部１９が極性選択回路６に接続されるような向きに絶縁回路３８が装着される場合は、装着向き検出信号４０はＨレベルとなるようになっている。この信号ラインを、トライステートバッファ１３、１４および３１のイネーブル端子に接続することにより、極性選択回路６および制御回路１５の出力／入力モードを自動的に設定することが可能になる。また、スイッチ８の代わりに、フォトＭＯＳカプラ４１の信号出力部４３を用い、フォトＭＯＳカプラ４１の信号入力部４２を装着向き検出端子３７に接続することにより、入出力回路２を入力回路として使用する場合には、信号出力部４２はオフとなり、出力回路として使用する場合にはオンさせることができる。すなわち、絶縁回路３８を装着することで、スイッチ８および１１の設定なしに、入力回路または出力回路を選択して使用することが可能になる。
【００４０】
前記実施形態においては、装着向き検出端子３７は、絶縁回路３８の内部で接地されているが、装着向き検出端子３７の電圧レベルが、絶縁回路３８の装着向きによって明示的に変化することが要点であり、接地ではなく、予め定められた基準電圧を出力するような機能を有する場合にも適用することができる。
【００４１】
次に、絶縁回路３の着脱方法並びに全体回路１の構成例を図５および図６にしたがって説明する。
【００４２】
絶縁回路３の表面には、通常、図６に示すように、極性マーク３’が表示されており、入出力一次回路５と極性選択回路６などとの絶縁距離を確保するために、信号入力部１８と信号出力部１９のリードは分離されて設けられている。なお、本実施形態においては、極性マーク３’が表示されている側を信号出力部１９としている。
【００４３】
図５に示す全体回路１の場合には、８点分の入出力回路を実装している。絶縁回路３ａ、３ｃおよび３ｅは、コネクタ４に対して、信号出力部１８が入出力一次回路５側に実装されているため、それらを含む入出力回路は入力回路として機能することになる。
【００４４】
同様に、絶縁回路３ｄ、および３ｆは、出力回路として機能する。また絶縁回路３ｂおよび３ｇは、絶縁回路をコネクタ４から取外した状態を示している。絶縁回路３ｂは、極性マーク３’が極性選択回路６側に向いているため、出力回路として機能しているが、これを１８０度回転させて、極性マーク３’が入出力一次回路５側に向くように実装すれば、入力回路として機能させることができる。また絶縁回路３ａ〜３ｆの実装方向を変更するに際しては、スイッチ８および１１を図２および図３に示す通りに設定する。
【００４５】
また、図４に示す回路を用いるときには、絶縁回路３８の装着向き検出端子３７が設けられているため、スイッチの設定は不要である。
【００４６】
なお、図５に示す実施形態においては、外部接続端子２１および２２は、端子台４４に含まれているが、端子台４４の代わりに、コネクタを用いることも可能である。
【００４７】
さらに、入出力回路２には、未使用の入出力回路が発生する場合もある。その場合は、４’で示すように、絶縁回路を非実装することにより部品コストが削減でき、経済性を高めることができる。
【００４８】
次に、本発明の第３実施形態を図７にしたがって説明する。
【００４９】
本実施形態は、入出力一次回路５と絶縁回路３との間および絶縁回路３と極性選択回路６との間に装着向き切換手段としてのスイッチ４５を、各コネクタ４に替えて装着してものである。この場合、入力回路として使用するときには、４個のスイッチ４５をａ側４６に設定し、出力回路として使用するときには４個のスイッチ４５をｂ側４７に設定する。
【００５０】
したがって、本実施形態においては、絶縁回路３の向きを変えることなく、各スイッチ４５の切り換えによって入力回路または出力回路として使用することができる。
【００５１】
なお、本実施形態においては、絶縁回路３の装着向き切替手段としてスイッチ４５を用いているが、このスイッチの代わりに、フォトカプラやフォトＭＯＳやリレー、ジャンパプラグなど、信号をオンオフできる素子であれば他のものを用いることもできる。
【００５２】
このように、前記各実施形態によれば、１つの回路を入力または出力として使用する際、絶縁回路と回路の実装スペースが１点当たり１回路で構成できるため、従来技術による入出力混在回路を用いるよりも高密度実装による装置全体の小型化が可能になる。
【００５３】
また、用途に応じて１点単位で入出力機能を切替ることが可能になるため、変更作業も容易となり、使い勝手を向上させることができる。
【００５４】
用途によっては、例えば、入力回路が多数必要で、出力回路はほとんど必要ないような場合もある。このような場合でも、本発明に係る入出力回路を内蔵する装置であれば、内蔵する回路すべてを入力回路として使用したり、出力回路として使用したりすることが可能であり、入力回路のみの装置や出力回路のみの装置をする必要がなくなる。
【００５５】
したがって、入出力装置を構成するハードウエアを単一機種に集約、共用化することが可能となり、量産効果による製造コストの低減が見込まれる他、システム構築においては、設計・検査・作業の単純化、実装効率の向上によるトータルコストの大幅な低減が可能になる。
【００５６】
【発明の効果】
以上説明したように、本発明によれば、入出力一次回路と絶縁回路および極性選択回路を互いに直列接続して配置し、絶縁回路の向きにより、入出力一次回路と絶縁回路および極性選択回路を入力回路または出力回路として構成することができるため、利用者が選択的に絶縁回路の向きを設定することで入力回路または出力回路として用いることができ、使い勝手の向上に寄与することができる
【図面の簡単な説明】
【図１】本発明の第１実施形態を示す全体構成図である。
【図２】入出力回路を入力回路として使用するときの動作説明図である。
【図３】入出力回路を出力回路として使用するときの動作説明図である。
【図４】本発明の第２実施形態を示す全体構成図である。
【図５】全体回路の物理的な構成を説明するための斜視図である。
【図６】絶縁回路の端子割付けと内部回路との対応関係を説明するための図である。
【図７】本発明の第３実施形態を示す全体構成図である。
【符号の説明】
１  全体回路
２  入出力回路
３  絶縁回路
４  コネクタ
５  入出力一次回路
６  極性選択回路
７  トランジスタ
８  スイッチ
９  Ｖｂｅ発生抵抗
１０  プルアップ抵抗
１１  スイッチ
１２  プルアップ抵抗
１３、１４  トライステートバッファ
１５  制御回路
１６、１７  イネーブル端子
１８  信号入力部
１９  信号出力部
２０  入出力回路
２１、２２  外部接続端子
２３  電源
２４  外部負荷
２５  外部接点
２８  負荷抵抗
２９  出力回路
３０  トランジスタ
３１  トライステートバッファ
３２  プルアップ抵抗
３７  装着向き検出端子
３８  装着向き検出端子付き絶縁回路
４１  フォトＭＯＳカプラ
【図１】
0003723928.tif 000002
【図２】
0003723928.tif 000003
【図３】
0003723928.tif 000004
【図４】
0003723928.tif 000005
【図５】
0003723928.tif 000006
【図６】
0003723928.tif 000007
【図７】
0003723928.tif 000008